(57)【特許請求の範囲】
【請求項１】
ウエスト開口部と一対のレッグ開口部を有するショーツ本体と、
吸収部材とを備える吸収ショーツであって、
前記吸収部材は、前端部、後端部、及び股下部に当たる部分の左右端部においてのみ前記ショーツ本体に縫い付けられ、
前記吸収部材の前記前端部と前記後端部は、それぞれ前記ショーツ本体のウエストゴムに沿って前記ショーツ本体に縫い付けられ、
前記吸収部材は、
肌側に配される第一の布部材と、
前記第一の布部材の下側に積層され、吸収層を有する第二の布部材とを備え、
前記第一の布部材と前記第二の布部材とは、少なくとも左右端部の一部において縫合されない
ことを特徴とする、
吸収ショーツ。
【請求項２】
前記吸収部材は、前記股下部に当たる部分において左右に一対の羽部を有し、
当該羽部において前記ショーツ本体に縫い付けられることを特徴とする、請求項１に記載の吸収ショーツ。
【請求項３】
前記吸収部材は、前記前端部から下腹部にかけて保温部を有することを特徴とする請求項１又は２に記載の吸収ショーツ。
【発明の詳細な説明】
【技術分野】
【０００１】
本発明は吸収ショーツに関する。
【背景技術】
【０００２】
特許文献１には、身体から排出される経血などの液体を吸収できる吸収性能を有し、洗濯して繰り返し使えるサニタリーショーツが開示されている。
【先行技術文献】
【特許文献】
【０００３】
【特許文献１】特許第４０７３３９１号
【発明の概要】
【発明が解決しようとする課題】
【０００４】
特許文献１に記載のショーツは、ショーツ本体を構成する股下部４（弾性シート４１）に、吸収層７及び防漏層８が配置され、経血や尿を吸収することができるショーツである。股下部４を構成する弾性シート４１と、吸収層７、防漏層８とは同形であり、全周にわたって縫合により一体化されている。このような構成であると、ショーツを手洗いするときに、経血や尿がしみ込んでいる吸収層７を洗いにくい。
【０００５】
そこで、本発明は、経血や尿を吸収できるショーツであって、手洗いのしやすいショーツを提供することを一つの目的とする。
【課題を解決するための手段】
【０００６】
本発明によれば、ウエスト開口部と一対のレッグ開口部を有するショーツ本体と、吸収部材とを備える吸収ショーツであって、前記吸収部材は、股下部に当たる部分において左右に一対の羽部を有し、前記吸収部材は、前記羽部及び前記吸収部材の前端部と後端部において前記ショーツ本体に縫い付けられることを特徴とする、吸収ショーツが得られる。
【発明の効果】
【０００７】
本発明によれば、経血や尿がしみ込んだ吸収部を手洗いしやすい。
【図面の簡単な説明】
【０００８】
【図１】本発明の実施の形態による吸収ショーツの展開図である。
【図２】本発明の実施の形態による吸収ショーツの立体図である。
【図３】本発明の実施の形態による吸収部の分解図である。
【図４】本発明の実施の形態による吸収部の縫合部を示す図である。
【図５】本発明の実施の形態による吸収部の断面図である。
【図６】本発明の実施の形態による他の吸収ショーツの展開図である。
【図７】本発明の実施の形態による吸収ショーツの外観である。
【発明を実施するための形態】
【０００９】
本発明の実施形態の内容を列記して説明する。本発明は、以下のような構成を備える。
［項目１］
ウエスト開口部と一対のレッグ開口部を有するショーツ本体と、
吸収部材とを備える吸収ショーツであって、
前記吸収部材は、前端部、後端部、及び股下部に当たる部分の左右端部において前記ショーツ本体に縫い付けられることを特徴とする、
吸収ショーツ。
［項目２］
前記吸収部材は、前記前端部、前記後端部、及び前記股下部に当たる部分の左右端部においてのみ、前記ショーツ本体に縫い付けられることを特徴とする、項目１に記載の吸収ショーツ。
［項目３］
前記吸収部材は、前記股下部に当たる部分において左右に一対の羽部を有し、
当該羽部において前記ショーツ本体に縫い付けられることを特徴とする、項目１又は２に記載の吸収ショーツ。
［項目４］
前記吸収部材は、
肌側に配される第一の布部材と、
前記第一の布部材の下側に積層され、吸収層を有する第二の布部材とを備え、
前記第一の布部材と前記第二の布部材とは、少なくとも左右端部の一部において縫合されないことを特徴とする、項目１〜３のいずれか１項に記載の吸収ショーツ。
［項目５］
前記吸収部材の前端部と後端部は、それぞれ前記ショーツ本体のウエストゴムに沿って前記ショーツ本体に縫い付けられることを特徴とする、項目１〜４のいずれか１項に記載の吸収ショーツ。
［項目６］
前記吸収部材は、前端部から下腹部にかけて保温部を有することを特徴とする項目１〜６のいずれか１項に記載の吸収ショーツ。
［項目７］
前記ショーツ本体は、ウエストゴム以外の全体が実質的に撥水生地からなることを特徴とする、項目１〜６のいずれか１項に記載の吸収ショーツ。
【００１０】
＜実施の形態の詳細＞
以下、本発明の実施の形態について、図面を参照しながら説明する。なお、本明細書において、「前」、「後」、「左」、「右」という言葉は、図１〜３中で示すように、ショーツの着用時の前・後、左・右に準じて使用される。
【００１１】
図１は、本発明の吸収ショーツを左右側部で切断して展開した図である。吸収ショーツは、ショーツ本体３と、ショーツ本体３の内側に取り付けられる吸収部材２とから構成される。本発明の吸収ショーツは、経血や尿を吸水保持可能な吸収部材２を備えているので、生理用ナプキンや失禁パッドなどを使用しなくても着衣を汚すことはない。また、吸収ショーツは洗濯することによって繰り返し使用することができる。したがって経済的であるし、市販の生理用ナプキンなどで肌がかぶれやすい人にとっても安心である。さらに、万一にも着衣を汚したくない場合や、経血量が多い日には、吸収部材２の上や層中に、生理用ナプキンや失禁パッドを装着して使用することもできる。
【００１２】
ショーツ本体３は、一般的なショーツの形状を構成する。本発明のショーツは、女性用、男性用のいずれであってもよく、形状は図２や図７に示すようないわゆるボクサー型に限らず、どのような形状であってもよい。ショーツ本体３は、図２に示すように、ウエスト開口部３１、及び一対のレッグ開口部３２を備える。ウエスト開口部３１には、端部に沿ってウエストゴム３６を結合させる。
【００１３】
ショーツ本体３は、前身頃３３、後身頃３４、及びその間に配される股下部３５を有する。ここでいう前身頃、後身頃、股下部、という言葉は、必ずしも生地のパーツを指すのではなく、ショーツ本体３を前後に３つに分割した場合のエリアを指す。したがって、ショーツ本体３を作成する際の生地パーツの形状は特に制限されず、図７のように前中央部、股下部、及び左右部にあたる生地パーツを縫い合わせてもよいし、前身頃、後身頃、股下部に相当する生地パーツを縫い合わせてもよい。
【００１４】
ショーツ本体３は、撥水性の生地からなる。撥水性の生地はポリエステル、綿、ナイロン、ラミネート生地等であってよく、撥水加工されたものであってもよい。特にポリエステルと綿を所定の割合で混合した混紡であると好ましい。ショーツ本体３は、ウエストゴム部分以外において実質的に全体が撥水性の生地から構成されることによって、吸収部材２から液体が漏れた場合であっても、着衣を汚すことがない。
【００１５】
吸収部材２は、ショーツ本体３の内側（肌側）に取り付けられる。吸収部材２は、吸水素材を有し、経血や尿などの身体から排出される液体を吸収し、ショーツ本体３にしみ出すことを防ぐことができる。
【００１６】
本発明の実施の形態における吸収部材２は、図１に示すように全体が前後に細長い形状を有する。吸収部材２は、その全面において吸水素材を配してもよいし、その一部のみに配してもよい。吸収部材２は、前端部２１、後端部２２を有し、それぞれショーツ本体３の端部、具体的にはウエストゴム３６の下端部に沿って縫合されて結合する。また、吸収部材２は、前後方向の中央部付近であって、股下部に当たる部分においてもショーツ本体３に縫合されてもよい。中央部付近においてショーツ本体３に縫合される場合は、吸収部材２の左右の端部に沿って所定長さにわたり、ショーツ本体３の生地と縫い合わされる。また、吸収部材２は、左右方向に伸びる羽部２３を備えることが好ましい。羽部２３は、前後方向に幅を有し、右の羽部２３には右端部に羽端部２３１、左の羽部２３には、左端部に羽端部２３１を有する。羽部２３は、ショーツ本体３の股下部に縫合される。例えば、羽部２３の両方の羽端部２３１においてショーツ本体３に縫い付けられてもよい。
【００１７】
本発明の吸収部材２は、前端部２１、後端部２２のみにおいて、ショーツ本体３の生地と結合される。または、前端部２１、後端部２２に加えてさらに中央部付近において、特に羽部２３を有する場合には左右の羽部２３において、ショーツ本体３の生地と結合される。一方で、その他の部分においてはショーツ本体３との結合部分を有さないことが好ましい。吸収部材２の大部分がショーツ本体３と分離されるので、液体を吸ったショーツを手洗いするときに、吸収部材２をショーツ本体３から引っ張って離し、吸収部材２をもみ洗いすることができる。一方で、前端部２１、後端部２２、及び羽部２３でショーツ本体３と固定されていることによって、着用時に吸収部材２がずれてしまうことがない。羽部２３を備えることによって、着用時の股下部分の動きが制限されてより安心して着用できるうえに、洗濯時には羽部２３の長さの分だけ吸収部材２を離して洗濯しやすくなる。
【００１８】
図３に、吸収部材２の具体的な構造を示す。図３（ａ）は、吸収部材２の全体を示す図である。吸収部材２は、前端部２１から後端部２２にかけて細長い略帯状の形状である。特に、前端部２１から股下部に当たる中央にかけての所定長さ部分は、徐々に幅が狭くなるようにしても（前端部２１を長辺とする台形）よい。吸収部材２の前端部２１の横幅は、ショーツ本体のサイズにも依存するが、１０〜３５ｃｍであり、好ましくは２５〜３０ｃｍである。また、後端部２２の横幅は、７〜２０ｃｍであり、好ましくは１０〜１５ｃｍである。
【００１９】
そして、図３（ｂ）に示すように、当該前端部２１から股下部に当たる中央にかけての所定長さ部分（台形部分）２８を、その他の部分とは異なる布材から構成させることも可能である。好ましくは、当該台形部分２８の布を、保温性と伸縮性に優れた布材から構成することができる。具体的には、綿や毛などからなるニットであってよく、テラヘルツ鉱石などの保温効果のある素材を混合してもよい。台形部分２８の前後方向の長さは５〜２０ｃｍであり、好ましくは１０〜１６ｃｍである。台形部分２８は着用時に下腹部に当たる部分であり、横幅が広く、また保温性に優れた素材を使うことによって、お腹を温めることができ、特に生理中の女性には心地が良い。台形部分２８は、実質的に保温性素材からなることができ、吸水性・保水性の高い素材を用いなくてもよい。
【００２０】
次に、吸収部材２は、台形部分２８より後側においては、第一の布部材２５と、第二の布部材２６とを積層した構造とすることが好ましい。第一の布部材２５と第二の布部材２６とは、寸法略同一の形状とすることができる。図３（ｃ）は、第一の布部材２５の形状を示す。第一の布部材２５は、装着時に肌に直接触れる。第一の布部材２５は、前端部において台形部分２８の後端部と縫い合わされて結合される。台形部分２８を異なる素材としない場合は、第一の布部材２５が前端部２１まで配されてもよい。また、股下部に当たる部分において、幅が狭くなる部分（幅狭部２５１）を有する。第一の布部材２５は、必要に応じて何枚かの布を積層して第一の布部材２５としてもよい。
【００２１】
図３（ｄ）は、第二の布部材２６の形状を示す。第二の布部材２６は、第一の布部材２５の下に積層され、第一の布部材２５とショーツ本体３との間に配される。第二の布部材２６の前端部は、台形部分２８の後端部と縫い合わされて結合される。台形部分２８を異なる素材としない場合は、第二の布部材２６が前端部２１まで配されてもよい。股下部に当たる部分において、左右に羽部２３を有する。羽部２３は、前後方向に２〜１５ｃｍ、好ましくは５〜１０ｃｍの幅Ｗ１を有する。幅Ｗ１は、図３（ｄ）に図示するとおり羽部２３の左右方向の端部２３１における幅を指す。また羽部２３の左右方向の長さＷ２は、２〜５ｃｍであり、好ましくは３〜４ｃｍである。
【００２２】
第二の布部材２６は、少なくとも左右方向の中央部に吸水素材を有する。一例として、図３（ｄ）において点線で示した部分に、吸水素材２７を配置することができる。例えば、図５に示すように、第二の布部材２６を肌側の第一生地２６１、吸水素材２７、ショーツ本体３側の第二生地２６２とを積層し、周囲を縫合した結合体から構成してもよい。吸水素材２７は、第二の布部材２６の少なくとも股下部に当たる部分において設けられ、好ましくは、図３（ｄ）に示すように第二の布部材２６の前後方向のほぼ全長にわたって存在させる。すなわち、第二の布部材２６は、後端部２２がショーツ本体３の後ろ身頃の上端部（ウエストゴム）３６に結合されるから、第二の布部材２６のほぼ全長にわたって吸水素材が配されることによって、横になった時などに液体が後ろに流れても吸収することができる。
【００２３】
第一の布部材２５と第二の布部材２６とは、第一の布部材２５が肌側になるように積層され、互いに周囲が縫合され結合される。この時に、少なくとも第一の布部材２５の股下部に当たる部分における所定部分が、第二の布部材２６とは縫い合わされずに分離可能な状態とする。好ましくは、第一の布部材２５の幅狭部２５１は、第二の布部材２６とは縫い合わされない。図４は、第一の布部材２５と第二の布部材２６との縫合個所を示す図である。第一の布部材２５と第二の布部材２６とは、重ね合わされた状態で、互いの端部において、図中の太い実線部分で縫合される。一方で、点線部分においては縫合されない。したがって、縫合されない点線部分においては、第一の布部材２５と第二の布部材２６との間にポケット２４が形成される。ポケット２４を形成することによって、第一の布部材２５の上に市販の生理用ナプキンを貼り付けた際に、生理用ナプキンのいわゆる羽部分をポケット２４に折り込んで生理用ナプキンがずれないようにすることができる。また、第一の布部材２５と第二の布部材２６との間の空間に市販の生理用ナプキンを設置することもできる。市販の生理用ナプキンを、第一の布部材２５と第二の布部材２６との間に配置することによって、生理用ナプキンが直接肌に触れることがないので、生理用ナプキンで肌がかぶれやすい人でも、安心して使用することができる。
【００２４】
図５は、吸収部材２の断面図である。図５（ａ）は、図３（ａ）におけるＡ線における断面図であり、図５（ｂ）は、図３（ａ）におけるＢ線における断面図である。図５（ａ）について、まず第二の布部材２６は、肌側に配置される第一生地２６１、吸収素材２７、ショーツ本体３側に配置される第二生地２６２の少なくとも３層構造とすることができる。吸収素材２７は、第二の布部材２５の左右方向の幅よりも若干短い幅を有し、第二生地２６２と第一生地２６１とが吸収素材２７の周囲で縫合されることによって、第一生地２６１と第二生地２６２との間に保持される。しかしながらこれに限らず、吸収素材２７の端部が第一生地２６１や第二生地２６２と縫合されてもよく、例えば吸収素材２７の周縁端部が第一生地２６１の端部と縫い合わされていると、吸収素材２７の位置が固定されて好ましい。Ａ線断面図において、第一の布部材２５は、第二の布部材２６と縫合されず、端部においてポケット２４を形成する。
【００２５】
図５（ｂ）について、第一の布部材２５と第二の布部材２６とは、左右方向の端部において縫合される。具体的には、第一の布部材２５と、第二の布部材の第一生地２６１及び第二生地２６２が左右端部において縫い合わされてもよい。第一の布部材２５と第二の布部材２６とは、端部以外の面部分においては縫合されないため、両者の間には空間があり、前述したようにポケット２４から生理用ナプキンを入れたりすることが可能である。また、端部は、液体が横漏れを生じないようにするために、折り返し部を設けてもよい。
【００２６】
第二の布部材２６を、第一生地２６１、吸収素材２７、第二生地２６２の３層構造とした場合、それぞれの素材は以下のようにすることができる。まず第一生地２６１は、濡れ戻りがなく伸縮性があり、液体を下層の吸収素材２７に通すために液体透過性の高い素材が好ましく、ポリエステルメッシュなどを使用することができる。また、吸収素材２７は、液体吸収性・液体拡散性・液体保全性を有する素材であって、例えば綿、綿パイル、抗菌による防臭アクリル、吸水アクリル、吸水ポリエステル、キュプラ、レーヨン等のニットや不織布等があげられ、特にレーヨンとアクリルからなる混合素材である。吸収素材２７の吸水力は、経血や尿の量の程度に応じて適宜調整することができ、例えば１０ｍｌ〜３００ｍｌの液体を吸収できることが好ましい。第二生地２６２は、防水性と透湿性を備えた素材が好ましく、例えばポリエステルであり、さらにポリウレタンフィルムをラミネートしたものや、あるいはポリウレタン、ポリエチレン、ポリ塩化ビニルなどのフィルムを使用することができる。防水性を有する第二生地２６２を備えることによって、液体がショーツ本体３にしみ出すことを防ぐことができる。
【００２７】
また、第一の布部材２５は、装着時に肌に直接触れるので、濡れ戻りがなく伸縮性があり、液体を下層に通すために液体透過性の高い素材が好ましく、ポリエステルメッシュなどを使用することができる。第一の布部材２５及び第二の布部材２６を構成する生地は、必要に応じて抗菌性、防臭性加工を施したものであってもよい。
【００２８】
図６は、本発明の吸収ショーツの変形例を示す図である。本変形例は、第一の布部材２５を有しない点で上記の例と異なる。したがって、吸収部材２は、実質的に第一生地２６１、吸収素材２７、第二生地２６２の積層構造からなる。この場合、ポケット２４は形成されない。また、第一の実施形態と同様に、前端部２１から股下部に当たる中央部にかけて所定長さ部分（台形部分）２８を保温効果のある異なる素材から構成してもよい。当該変形例によれば、パーツ数が少なくなる分コストを抑えることができる。また、本発明の吸収ショーツは、十分な給水量を担保できるので、市販の生理用ナプキンをさらに用いる必要のない人には、当該変形例を使用することができる。
【００２９】
本発明の吸収ショーツによれば、吸水性の高い吸収部材２が取り付けられているため、生理用ナプキンや失禁パッドなどを付けなくても、経血や尿を吸収することができる。本発明の吸収ショーツは、吸収部材２が前端部２１、後端部２２、及び羽部２３においてショーツ本体３に縫合され、その他の部分においては分離可能であるため、洗濯時には、吸収部材２を引っ張り出してもみ洗いしやすい。
【００３０】
また、より安心するために生理用ナプキンや失禁パッドを使用したい場合は、第一の布部材２５と第二の布部材２６との間にポケット２４が形成されているために、ポケット２４の中に生理用ナプキンなどを入れることもできるし、第一の布部材２５の上に装着する場合は生理用ナプキンの羽をポケット２４に入れ込むことによって固定が容易である。
【００３１】
上述した実施の形態は、本発明の理解を容易にするための例示に過ぎず、本発明を限定して解釈するためのものではない。本発明は、その趣旨を逸脱することなく、変更、改良することができると共に、本発明にはその均等物が含まれることは言うまでもない。
【符号の説明】
【００３２】
１        吸収ショーツ
２        吸水部
３        ショーツ本体
２１        前端部
２２        後端部
２３        羽部
２４        ポケット
２５        第一の布部材
２６        第二の布部材
２７        吸収素材
２８        保温素材
３１        ウエスト開口部
３２        レッグ開口部
３３        前身頃
３４        後身頃
３５        股下部
３６        ウエストゴム
【要約】
【課題】吸収ショーツを提供すること。
【解決手段】本発明は、ウエスト開口部と一対のレッグ開口部を有するショーツ本体と、吸収部材とを備える吸収ショーツであって、前記吸収部材は、股下部に当たる部分において左右に一対の羽部を有し、前記吸収部材は、前端部、後端部、及び前記羽部において前記ショーツ本体に縫い付けられることを特徴とする。本発明の吸収ショーツによれば、経血や尿を吸収することができる。また、洗濯することで繰り返し使用することができる。
【選択図】図１【図１】
0006725958.tif 000002
【図２】
0006725958.tif 000003
【図３】
0006725958.tif 000004
【図４】
0006725958.tif 000005
【図５】
0006725958.tif 000006
【図６】
0006725958.tif 000007
【図７】
0006725958.tif 000008